(57)【特許請求の範囲】
【請求項１】
冷蔵温度に維持される冷蔵室と、前記冷蔵室よりも下方に配されて冷凍温度に維持される冷凍室と、前記冷蔵室と前記冷凍室との間に左右方向の一方に偏って配されるとともに前記冷蔵室に連通して前記冷蔵室よりも高温の冷蔵温度に維持される野菜室と、前記野菜室の側方に隣接して前記冷蔵室と前記冷凍室との間に配されるとともに冷凍温度に維持される冷凍区画部と、送風ファン及び冷却器を配した冷気通路とを備え、前記冷気通路を介して冷気を冷蔵室、前記冷凍区画部及び前記冷凍室に吐出するとともに前記冷蔵室からの冷気が前記野菜室に吐出する冷蔵庫において、
前記冷気通路が前記冷却器を設置して前記冷凍区画部の下方から前記野菜室の下方に亘って前記冷凍室の後方に設けられる冷却器室と、前記冷却器室から前記冷蔵室まで上方に延びて前記野菜室の後方を通ることなく前記冷凍区画部の後方に配置される上部通路と、前記野菜室から前記冷却器室に冷気を戻す戻り通路とを有し、
前記戻り通路から前記冷却器室に冷気が流入する流入口を前記冷却器室の前記上部通路と反対側の側端部に設けたことを特徴とする冷蔵庫。
【請求項２】
前記上部通路の一方の側壁と前記冷却器室の上壁とを傾斜面から成る気流案内部により連結したことを特徴とする請求項１に記載の冷蔵庫。
【請求項３】
前記送風ファンと前記流入口とを結ぶ直線が前記気流案内部に対して略平行であることを特徴とする請求項２に記載の冷蔵庫。
【請求項４】
前記気流案内部の鉛直下方に送風ファンを配置したことを特徴とする請求項２又は３に記載の冷蔵庫。
【請求項５】
前記戻り通路が前記上部通路と反対側の前記冷凍室の側壁近傍に沿って上下方向に延びて形成されていることを特徴とする請求項１〜４のいずれかに記載の冷蔵庫。
【発明の詳細な説明】
【技術分野】
【０００１】
本発明は冷気通路を備えた冷蔵庫に関する。
【背景技術】
【０００２】
従来の冷蔵庫は特許文献１に開示されている。この冷蔵庫は断熱箱体の上部に貯蔵物を冷蔵保存する冷蔵室が配され、冷蔵室の下方には冷蔵室よりも高温で貯蔵物を冷蔵保存する野菜室が配される。野菜室の下方には貯蔵物を冷凍保存する冷凍室が上下に並設されている。
【０００３】
最下段の冷凍室の背面側には機械室が設けられ、機械室には冷凍サイクルを運転する圧縮機が配されている。
【０００４】
冷凍室の後部には冷却器、送風ファン及びダンパを配して冷気が流通する冷気通路が設けられている。冷気通路には冷凍室に臨む吐出口及び戻り口、冷蔵室に臨む吐出口、野菜室に臨む戻り口がそれぞれ開口する。また、冷蔵室には冷気を野菜室に導く連通路が導出されている。
【０００５】
上記構成の冷蔵庫において、圧縮機及び送風ファンの駆動によって冷気通路を流通する空気と冷却器とが熱交換して生成された冷気が吐出口から冷凍室に吐出される。吐出口から吐出された冷気は冷凍室内を流通し、戻り口を介して冷却器に戻る。
【０００６】
また、ダンパが開かれると冷気は冷蔵室の吐出口から吐出され、連通路を介して野菜室内に流入する。野菜室内を流通した冷気は戻り口を介して冷却器に戻る。これにより、冷凍室、冷蔵室及び野菜室内が冷却される。
【先行技術文献】
【特許文献】
【０００７】
【特許文献１】特開平９−１１３１０８号公報
【発明の概要】
【発明が解決しようとする課題】
【０００８】
しかしながら、従来の冷蔵庫によると、冷却器で生成された冷気は野菜室の背面に配置された冷気通路を介して冷蔵室に流入する。野菜室は冷蔵室よりも高温で貯蔵物を冷蔵保存するため、冷気が野菜室の後方を流通する際に、冷気の温度が上昇してしまう虞がある。このため、冷蔵庫の冷却能力が低下するという問題があった。
【０００９】
本発明は、冷却能力を向上できる冷蔵庫を提供することを目的とする。
【課題を解決するための手段】
【００１０】
上記目的を達成するために本発明の冷蔵庫は、冷蔵温度に維持される冷蔵室と、前記冷蔵室よりも下方に配されて冷凍温度に維持される冷凍室と、前記冷蔵室と前記冷凍室との間に左右方向の一方に偏って配されるとともに前記冷蔵室に連通して前記冷蔵室よりも高温の冷蔵温度に維持される野菜室と、前記野菜室の側方に隣接して前記冷蔵室と前記冷凍室との間に配されるとともに冷凍温度に維持される冷凍区画部と、送風ファン及び冷却器を配した冷気通路とを備え、前記冷気通路を介して冷気を冷蔵室、前記冷凍区画部及び前記冷凍室に吐出する冷蔵庫において、前記冷気通路が前記冷却器を設置して前記冷凍区画部の下方から前記野菜室の下方に亘って前記冷凍室の後方に設けられる冷却器室と、前記野菜室の後方を避けて前記冷却器室から前記冷凍区画部の後方を通って上方に延びる上部通路と、前記野菜室から前記冷却器室に冷気を戻す戻り通路とを有し、前記戻り通路から前記冷却器室に冷気が流入する流入口を前記冷却器室の前記上部通路と反対側の側端部に設けたことを特徴とする。
【００１１】
また本発明は、上記構成の冷蔵庫において、前記冷気通路が仕切板を介して前記冷却器室の前方に配される下部通路を有するとともに、第１送風機の下流で前記上部通路と前記下部通路とに分岐し、第１送風機が正面投影において前記冷凍区画部と前記冷凍室との間を仕切る仕切部に重なる位置に配されることを特徴とする。
【００１２】
また本発明は、上記構成の冷蔵庫において、前記上部通路の一方の側壁と前記冷却器室の上壁とを傾斜面から成る気流案内部により連結したことを特徴とする。
【００１３】
また本発明は、上記構成の冷蔵庫において、前記送風ファンと前記流入口とを結ぶ直線が前記気流案内部に対して略平行であることを特徴とする。
【００１４】
また本発明は、上記構成の冷蔵庫において、前記気流案内部の鉛直下方に送風ファンを配置したことを特徴とする。
【００１５】
また本発明は、上記構成の冷蔵庫において、前記戻り通路が前記上部通路と反対側の前記冷凍室の側壁近傍に沿って上下方向に延びて形成されていることを特徴とする。
【発明の効果】
【００１６】
本発明によると、冷気通路が冷却器を設置する冷却器室と、冷却器室から上方に延びる上部通路と、野菜室から冷却器室に冷気を戻す戻り通路とを有する。また、冷却器室は冷凍区画部の下方から野菜室の下方に亘って設けられ、上部通路は野菜室の後方を避けて冷凍区画部の後方に設けられる。このため、冷却器で生成された冷気が比較的高温の野菜室の後方を避けて配される上部通路を介して冷蔵室、冷凍区画部及び冷凍室に供給される。このため、上部通路を流通する冷気の昇温を抑制することができる。
【００１７】
また、戻り通路から冷却器室に冷気が流入する流入口を冷却器室の上部通路と反対側の側端部に設けている。これにより。冷却器室内の気流を停留させずに上部通路に気流を導くことができ、冷却器の熱交換効率を向上することができる。従って、冷蔵庫の冷却能力を向上することができる。
【図面の簡単な説明】
【００１８】
【図１】本発明の第１実施形態の冷蔵庫を示す正面図
【図２】本発明の第１実施形態の冷蔵庫の本体部の正面図
【図３】図２のＡ−Ａ断面図
【図４】図２のＢ−Ｂ断面図
【図５】本発明の第１実施形態の冷蔵庫の上部通路の下部及び冷却器室を示す斜視図
【図６】本発明の第１実施形態の冷蔵庫の野菜室を示す斜視図
【図７】本発明の第２実施形態の冷蔵庫の本体部の正面図
【図８】本発明の第３実施形態の冷蔵庫の上部通路の下部及び冷却器室を示す斜視図
【発明を実施するための形態】
【００１９】
＜第１実施形態＞
以下に本発明の実施形態を図面を参照して説明する。図１は第１実施形態の冷蔵庫１の正面図を示している。冷蔵庫１は本体部２（図２参照）に設けられる複数の貯蔵室の前面にそれぞれ扉が配される。冷蔵庫１の上部には貯蔵物を冷蔵保存する冷蔵室４が配され、冷蔵室４の前面は観音開きの扉４Ｌ及び扉４Ｒにより開閉される。冷蔵庫１の下部には貯蔵物を冷凍保存する冷凍室６が配され、冷凍室６の前面は収納ケース６ｄ（図２参照）と一体の引出式の扉６ａにより開閉される。
【００２０】
冷蔵室４と冷凍室６との間には右方に偏って野菜室５が配される。野菜室５は冷蔵室４よりも高温の冷蔵温度に維持されて野菜等の貯蔵物を冷蔵保存し、収納ケース５０（図２参照）と一体の引出式の扉５ａにより開閉される。
【００２１】
また、冷蔵室４と冷凍室６との間には野菜室５の左方に隣接して冷凍温度に維持される冷凍区画部２１（図２参照）が設けられる。冷凍区画部２１は上部に配される製氷室２５と下部に配される冷凍室２６とを有している。製氷室２５の前面は貯氷ケース２５ｂ（図２参照）と一体の引出式の扉２５ａにより開閉される。冷凍室２６の前面は収納ケース２６ｂ（図２参照）と一体の引出式の扉２６ａにより開閉される。
【００２２】
尚、扉５ａは冷蔵室４の扉４Ｒと同じ横幅に形成され、扉２５ａ、２６ａは冷蔵室４の扉４Ｌと同じ横幅に形成される。これにより、冷蔵庫１の美観を向上することができる。
【００２３】
図２は本体部２の正面図を示している。また、図３は図２のＡ−Ａ断面図を示し、図４は図２のＢ−Ｂ断面図を示している。本体部２は内箱と外箱との間に発泡断熱材１３を充填した断熱箱体３により各貯蔵室を形成する。冷蔵室４と野菜室５との間及び冷蔵室４と製氷室２５との間は水平に配された断熱壁から成る仕切部１８によって仕切られる。野菜室５と冷凍室６との間は水平に配された断熱壁から成る仕切部１９によって仕切られる。野菜室５と冷凍区画部２１との間は鉛直に配された断熱壁から成る仕切部２０によって仕切られる。
【００２４】
冷凍室２６と冷凍室６との間の前端部には仕切部１９と同じ高さに水平に配された仕切部３６が設けられる。製氷室２５と冷凍室２６との間の前端部には水平に配された仕切部３５が設けられる。製氷室２５、冷凍室２６及び冷凍室６は仕切部３５、３６の後方で互いに連通する。
【００２５】
冷蔵室４内には複数の棚４ｂ、４ｃ、４ｄ、４ｅが設けられる。下端の棚４ｅの下方には右側に偏って隔離室から成るチルド室７０が形成される。チルド室７０内には収納ケース７０ａが設けられる。チルド室７０の左方には収納ケース７１を配した小物室が隣接し、小物室の左方には製氷用の水を貯水する貯水タンク７２が配される。
【００２６】
また、野菜室５の収納ケース５０上には収納ケース５１が載置される。冷凍室６の収納ケース６ｄ上には収納ケース６ｃが載置され、収納ケース６ｃ上には収納ケース６ｂが載置される。
【００２７】
本体部２の下部には断熱箱体３の後方に機械室３０が設けられる。機械室３０内には冷凍サイクルを運転する圧縮機３１が配される。
【００２８】
本体部２の後部には冷気が流通する冷気通路７が設けられる。冷気通路７は冷却器室１２と、上部通路９と、下部通路２９と、戻り通路３４とを有している。冷却器室１２は冷凍室２６の下方から野菜室５の下方に亘って冷凍室６の後方に配され、冷却器１１が設置される。冷却器１１は機械室３０よりも上方であり、冷却器室１２の下端部には冷凍室６から冷気が戻る戻り口９ｃが設けられる。
【００２９】
上部通路９は冷却器室１２から上方に延び、下部通路２９は仕切板２７を介して冷却器室１２の前面に配される。戻り通路３４は野菜室５から上部通路９と反対側の冷凍室６の側壁に沿って下方に導出され、冷却器室１２の流入口１２ｃ（図５参照）を介して連結される。また、冷蔵室４の底壁を形成する仕切部１８には冷蔵室４と野菜室５とを連通させる連通口４ｆが設けられる。
【００３０】
上部通路９内には下方から送風ファン１０、ダンパ２３、送風ファン２４が配される。送風ファン１０は正面投影において仕切部３６に重なる位置に配される。下部通路２９は送風ファン１０の排気側で上部通路９に対して分岐して下方に延びる。ダンパ２３は冷蔵室４及び野菜室５の冷却時に開かれ、上部通路９のダンパ２３よりも上方に形成された冷蔵用通路８に冷気を導く。送風ファン２４はダンパ２３を開いた際に駆動される。
【００３１】
なお、ダンパ２３よりも下方の上部通路９及び下部通路２９の前面はパネル７ａによりにより覆われる。また、ダンパ２３よりも下方の上部通路９の前面に配されるパネル７ａの横幅は本体部２の横幅の半分以下の大きさに形成されている。また、上部通路９のダンパ２３よりも上方の冷蔵用通路８の前面はパネル７ｂにより覆われる。
【００３２】
上部通路９のダンパ２３よりも上方の冷蔵用通路８は冷蔵室４の背面及び天井面に沿って配され、冷蔵室４に臨む複数の吐出口８ａ〜８ｆが開口する。吐出口８ａは冷蔵室４の天井面上の冷蔵用通路８の前部に設けられる。吐出口８ｂ〜８ｄは各棚板４ｂ〜４ｅの間に設けられる。下方の吐出口８ｅ、８ｆはチルド室７０内に臨む。
【００３３】
上部通路９のダンパ２３よりも下方は野菜室５を避けて製氷室２５及び冷凍室２６の後方を通り、製氷室２５に臨む吐出口９ａ及び冷凍室２６に臨む吐出口９ｂが開口する。下部通路２９には冷凍室６に臨む吐出口２９ａ〜２９ｄが開口する。吐出口２９ａ〜２９ｃは冷凍室２６の鉛直下方に上下方向に並設される。吐出口２９ｄは野菜室５の鉛直下方に配される。
【００３４】
図５は冷気通路７の上部通路９の下部及び冷却器室１２の斜視図を示している。図６は野菜室５の概略斜視図を示している。上部通路９の右側の側壁９ｄと冷却器室１２の上壁１２ｂとの間は傾斜面からなる気流案内部１２ａにより連結される。これにより、左右幅の大きい冷却器室１２から冷凍区画部２１（図１参照）の後方に配した左右幅の狭い上部通路９に円滑に冷気が流入する。従って、冷気通路７の圧力損失を低減することができる。
【００３５】
冷却器室１２の上部通路９と反対側の側壁１２ｄの下端部には流入口１２ｃが設けられている。流入口１２ｃは戻り通路３４と連結されている。送風ファン１０と流入口１２ｃとを結ぶ直線Ｄは気流案内部１２ａに対して略平行になっている。これにより、流入口１２ｃを介して冷却器室１２内に冷気が戻った際、冷却器室１２の右端部の気流を停留させずに上部通路９に導くことができる。
【００３６】
また、野菜室５の底壁を形成する仕切部１９の後部と左側壁を形成する仕切部２０の後部との間には気流案内部１２ａとの干渉を回避する回避部５ｄが設けられる。尚、野菜室５内の収納ケース５０（図４参照）の側壁と底壁との間には回避部５ｄとの干渉を回避する面取り（不図示）が形成される。
【００３７】
上記構成の冷蔵庫１において、圧縮機３１及び送風ファン１０の駆動によって冷却器室１２を流通する空気と冷却器１１とが熱交換して冷気が生成される。生成された冷気は吐出口９ａから製氷室２５に吐出され、吐出口９ｂから冷凍室２６に吐出される。また、冷気は下部通路２９を流通して吐出口２９ａ、２９ｂ、２９ｃから冷凍室６に吐出される。吐出口２９ａ、２９ｂ、２９ｃから吐出された冷気は製氷室２５、冷凍室２６及び冷凍室６内を流通し、戻り口９ｃを介して冷却器１１に戻る。これにより、製氷室２５、冷凍室２６及び冷凍室６内の冷却が行われる。
【００３８】
ダンパ２３が開かれると上部通路９の冷蔵用通路８に冷気が流入し、吐出口８ａ、８ｂ、８ｃ、８ｄ、８ｅ、８ｆから冷蔵室４に吐出される。吐出された冷気は冷蔵室４の前方へ流通した後に下方に流通し、連通口４ｆから流出する。これにより、冷蔵室４内の冷却が行われる。
【００３９】
その後、連通口４ｆを介して冷気は野菜室５内に吐出され、野菜室５内の前部から後部へと流通し、戻り通路３４を介して流入口１２ｃから冷却器室１２に戻る。これにより、野菜室５内の冷却が行われる。この時、流入口１２ｃは冷却器室１２の側壁１２ｄの下端部に設けられているため、上部通路９に冷却器室１２内の気流を停留させずに導くことができる。
【００４０】
本実施形態によると、冷気通路７が冷却器１１を設置する冷却器室１２と、冷却器室１２から上方に延びる上部通路９と、野菜室５から冷却器室１２に冷気を戻す戻り通路３４とを有する。また、冷却器室１２は冷凍区画部２１の下方から野菜室５の下方に亘って設けられ、上部通路９は野菜室５の後方を避けて冷凍区画部２１の後方に設けられる。このため、冷却器１１で生成された冷気が比較的高温の野菜室５の後方を避けて配される上部通路９を介して冷蔵室４、冷凍区画部２１及び冷凍室６に供給される。このため、上部通路９を流通する冷気の昇温を抑制することができる。
【００４１】
また、戻り通路３４から冷却器室１２に冷気が流入する流入口１２ｃを冷却器室１２の上部通路９と反対側の側端部（側壁１２ｄ）に設けている。これにより。冷却器室１２内の気流を停留させずに上部通路９に気流を導くことができ、冷却器１１の熱交換効率を向上することができる。従って、冷蔵庫１の冷却能力を向上することができる。
【００４２】
また、上部通路９の側壁９ｄと冷却器室１２の上壁１２ｂとを気流案内部１２ａにより連結したため、上部通路９に冷却器室１２内の気流をより一層冷却器室１２内に停留させずに導くことができる。
【００４３】
また、送風ファン１０と流入口１２ｃとを結ぶ直線Ｄが気流案内部１２ａに対して略平行であるため、上部通路９に冷却器室１２内の気流をより冷却器室１２内に停留させずに導くことができる。
【００４４】
また、戻り通路３４が上部通路９と反対側の冷凍室６の側壁近傍に沿って上下方向に延びて形成されているため、冷却器室１２を大きく形成して熱交換面積の大きい冷却器１１を設置することができる。
【００４５】
＜第２実施形態＞
次に、図７は第２実施形態の冷蔵庫１の本体部２の正面図を示している。説明の便宜上、前述の図１〜図６に示す第１実施形態と同様の部分には同一の符号を付している。本実施形態は第１実施形態に対して上部通路９の形状が異なっている。その他の部分は第１実施形態と同様である。
【００４６】
上部通路９には送風ファン１０とダンパ２３との間を鉛直に延びる仕切壁３２ｃにより左右に分割された分割通路３２ａ、３２ｂが設けられる。左方の分割通路３２ｂには吐出口９ａ、９ｂが開口し、右方の分割通路３２ａによって送風ファン１０とダンパ２３とが連結される。
【００４７】
これにより、ダンパ２３を開いた際にダンパ２３よりも上方の冷蔵用通路８に冷気を円滑に導くことができる。また、吐出口９ａ、９ｂからの冷気吐出による冷蔵用通路８に導かれる冷気の減少を防止できる。従って、冷蔵室４及び野菜室５の冷却時の冷凍室６、２６及び製氷室２５の過冷却を低減することができる。
【００４８】
本実施形態によると、第１実施形態と同様の効果を得ることができる。また、上部通路９が分割通路３２ａ、３２ｂを有するので、冷蔵用通路８に冷気を円滑に導くことができるとともに、冷凍室６、２６及び製氷室２５の過冷却を低減することができる。
【００４９】
尚、本実施形態において、上部通路９を仕切壁３２ｃによって前後方向に分割し、分割通路３２ａを分割通路３２ｂの後方に配置してもよい。
【００５０】
＜第３実施形態＞
次に、図８は第３実施形態の冷蔵庫１の上部通路９の下部及び冷却器室１２の斜視図を示している。説明の便宜上、前述の図１〜図７に示す第１実施形態と同様の部分には同一の符号を付している。本実施形態は第１実施形態に対して送風ファン１０の配置場所が異なっている。その他の部分は第１実施形態と同様である。
【００５１】
送風ファン１０は気流案内部１２ａの鉛直下方に配されている。このため、左方に偏って配された上部通路９に冷却器室１２の右端部の気流を停留させずに導くことができる。従って、冷却器室１２内の気流を冷却器１１全体と熱交換させることができ、冷却器１１の熱交換効率を向上することができる。
【００５２】
本実施形態によると、第１実施形態と同様の効果を奏することができる。また、送風ファン１０は気流案内部１２ａの鉛直下方に配されているため、冷気通路７の熱交換効率をより向上することができる。
【産業上の利用可能性】
【００５３】
本発明によると、冷気通路を備えた冷蔵庫に利用することができる。
【符号の説明】
【００５４】
１      冷蔵庫
２      本体部
３      断熱箱体
４      冷蔵室
４ｂ、４ｃ、４ｄ、４ｅ    棚
４ｆ    連通口
５      野菜室
５ａ    扉
５ｂ    側壁
５ｃ    後壁
５ｄ    回避部
６      冷凍室
６ａ    扉
６ｂ、６ｃ、６ｄ  収納ケース
７      冷気通路
８      冷蔵用通路
８ａ、８ｂ、８ｃ、８ｄ、８ｅ、８ｆ    吐出口
９      上部通路
９ａ、９ｂ    吐出口
９ｃ    戻り口
９ｄ    側壁
１０    送風ファン
１１    冷却器
１２    冷却器室
１２ａ  気流案内部
１２ｂ  上壁
１２ｃ  流入口
１２ｄ  側壁
１３    発泡断熱材
１４    外箱
１５    内箱
１８、１９、２０    仕切部
２１    冷凍区画部
２３    ダンパ
２４    送風ファン
２５    製氷室
２５ａ  扉
２５ｂ  貯氷ケース
２６    冷凍室
２６ａ  扉
２６ｂ  収納ケース
２７    仕切板
２９    下部通路
２９ａ、２９ｂ、２９ｃ、２９ｄ  吐出口
３０    機械室
３１    圧縮機
３２ａ    分割通路
３２ｂ    分割通路
３２ｃ    仕切壁
３４      戻り通路
３５、３６      仕切部
５０    収納ケース
５１    小物ケース
７０    チルド室
７０ａ  収納ケース
７１    収納ケース
７２    貯水タンク
Ｄ      直線
【図１】
0006416519.tif 000002
【図２】
0006416519.tif 000003
【図３】
0006416519.tif 000004
【図４】
0006416519.tif 000005
【図５】
0006416519.tif 000006
【図６】
0006416519.tif 000007
【図７】
0006416519.tif 000008
【図８】
0006416519.tif 000009